(57)【要約】【課題】キャビネット下方に設けた引き出しの収納容量を大幅に向上させることができ、しかも、配管の連結作業やメンテナンス作業を無理のない姿勢で容易に行なうことができる厨房家具用配管キャビネットを提供する。【解決手段】キャビネット本体１０の背板１２が厨房室内側に向いて配設される厨房家具用のキャビネット２０を、少なくとも両側板２１，２１と、該両側板２１，２１間に架設される中仕切り板２２と、この中仕切り板２２で画成された下側空間２３を開閉自在に閉塞する覆体２４と、を備えて構成すると共に、上記両側板２１，２１及び中仕切り板２２の奥行寸法を、厨房家具のキャビネット２０の上面に配置されるカウンタートップ１１の奥行端部１１Ｂと厨房家具のキャビネット本体１０の背板１２との間の空間部寸法Ｌ３よりも小さく設定し、上記下側空間２３を配管スペースとして用いるように構成した。【選択図】図１
2005152082.tif 000002
【特許請求の範囲】
【請求項１】
キャビネット本体の背板部が厨房室内側に向いて配設される厨房家具用の配管キャビネットであって、該配管キャビネットは、少なくとも両側板と、該両側板間に架設される中仕切り板と、この中仕切り板で画成された下側空間を開閉自在に閉塞する覆体と、を備えて構成されていると共に、上記両側板及び中仕切り板の奥行寸法は、厨房家具のキャビネット上面に配置されたカウンタートップの奥行端部と当該厨房家具のキャビネット本体の背板との間の空間部寸法よりも小さく設定し、上記下側空間を配管スペースとして用いることを特徴とする厨房家具用配管キャビネット。
【請求項２】
前記覆体は、ヒンジにより開閉自在な扉であることを特徴とする請求項１に記載の厨房家具用配管キャビネット。
【請求項３】
前記中仕切り板で画成された上部空間の高さ方向に沿って、棚板を着脱自在に支持可能に構成したことを特徴とする請求項１又は請求項２のいずれかに記載の厨房家具用配管キャビネット。
【請求項４】
前記中仕切り板で画成された上部空間は、該上部空間部を覆う扉体と該扉体の裏面側下部に形成された略凹状の収納部とで側面形状が略Ｌ字状に形成されたドアポケット体で開閉自在に構成されていることを特徴とする請求項１又は請求項２のいずれかに記載の厨房家具用配管キャビネット。
【請求項５】
前記中仕切り板で画成された上部空間は、該上部空間部を覆う扉体と、該扉体の上部を回動自在に支持する手段によって開閉自在なフラップカウンター型で構成されていることを特徴とする請求項１又は請求項２のいずれかに記載の厨房家具用配管キャビネット。
【請求項６】
前記配管スペースは、厨房家具の給排水管及び／又は加熱調理器のガス管の配管スペースであることを特徴とする請求項１乃至請求項５のいずれかに記載の厨房家具用配管キャビネット。
【請求項７】
前記配管スペースは、厨房家具に組み込まれた食器洗浄乾燥機の給排水管の配管スペースであることを特徴とする請求項１乃至請求項５のいずれかに記載の厨房家具用配管キャビネット。
【発明の詳細な説明】
【技術分野】
【０００１】
この発明は、システムキッチンや流し台等の厨房家具であって、所謂対面型キャビネットに好適な配管キャビネットに係り、特に、シンクの配管及び収納や食器洗浄乾燥機等の厨房機器の組み込みや配管と収納を行なうのに好適な厨房家具用配管キャビネットに関する。
【背景技術】
【０００２】
近年、システムキッチンにおいては、対面型システムキッチンが好まれており、そのタイプも、図１６と図１７に示す所謂アイランド型のものや、図１８乃至図２０に示すぺニンシュラ型のものが知られている。
【０００３】
ところで、このような対面型システムキッチンにあっては、キャビネット本体１に取り付けられたシンクの配管や食器洗浄乾燥機の配管（例えば、特許文献１参照）は、図２１に示すように、キャビネット本体１のカウンタートップ２の下側に組み込まれた食器洗浄乾燥機３の背面部とキャビネット本体１の背板４との間から配管５を下側へ導き、例えば、所謂横引き配管（ころがし配管）の場合であっても、また、床板部分に配設された開口に通して給排水管（図示せず）と連通接続する構造であっても、キャビネット本体１の背板４の近傍には、配管スペースを確保しなければならないため、食器洗浄乾燥機３の下側に引き出し式収納体６を配置する場合には、該収納体６の奥行寸法を上記背板４に可及的に近づけることができない構造とならざるを得ず、収納体６の収納容量が大幅に制限される、という問題を有していた。また、上記配管５の連結作業やメンテナンス作業は、キャビネット本体１の奥行側で行なわれるため、無理な姿勢で上記作業を行なわなければならず、かかる作業が非常に煩雑である、という問題も有していた。
【０００４】
【特許文献１】特開２００１−００８７５３号公報
【０００５】
一方、上記対面型キッチンにあっては、調理作業をしながら対面側に座っている人と会話をしたり食事等をする場面が多いことから、近年、カウンタートップ２の奥行寸法を大きく取る傾向が強まり、定格寸法からなるキャビネット本体１の奥行寸法よりもカウンタートップ２の奥行寸法が大きくなり、カウンタートップ２の下面であって、対面側に座る人のニースペース部分が空きスペースとなり、この空きスペースを利用して、図１７と図１９及び図２０に示すように、薄型の収納キャビネット８を配置することが多いのが現状である。
【発明の開示】
【発明が解決しようとする課題】
【０００６】
この発明は、かかる現状に鑑み創案されたものであって、その目的とするところは、厨房家具のキャビネット本体の下方に設けた引き出しの収納容量を大幅に向上させることができ、しかも、配管の連結作業やメンテナンス作業を無理のない姿勢で容易に行なうことができる厨房家具用配管キャビネットを提供しようとするものである。
【課題を解決するための手段】
【０００７】
上記目的を達成するため、請求項１に記載の発明にあっては、キャビネット本体の背板部が厨房室内側に向いて配設される厨房家具用の配管キャビネットを、少なくとも両側板と、該両側板間に架設される中仕切り板と、この中仕切り板で画成された下側空間を開閉自在に閉塞する覆体と、を備えて構成すると共に、上記両側板及び中仕切り板の奥行寸法を、厨房家具のキャビネット上面に配置されたカウンタートップの奥行端部と厨房家具のキャビネット本体の背板との間の空間部寸法よりも小さく設定し、上記下側空間を配管スペースとして用いることを特徴とする。
【０００８】
この場合、上記覆体は、請求項２に記載したように、ヒンジにより開閉自在な扉として構成するのが望ましい。
【０００９】
また、請求項３に記載の発明は、前記中仕切り板で画成された上部空間の高さ方向に沿って、棚板を着脱自在に支持可能に構成したことを特徴とする。
【００１０】
さらに、請求項４に記載の発明は、前記中仕切り板で画成された上部空間を、該上部空間部を覆う扉体と、該扉体の裏面側下部に形成された略凹状の収納部と、で側面形状が略Ｌ字状に形成されたドアポケット体で開閉自在に構成されていることを特徴とする。
【００１１】
また、請求項５に記載の発明は、前記中仕切り板で画成された上部空間を、該上部空間部を覆う扉体と、該扉体の上部を回動自在に支持する手段によって開閉自在なフラップカウンター型で構成したことを特徴とする。
【００１２】
さらに、請求項６に記載の発明は、前記配管スペースを、厨房家具の給排水管及び／又は加熱調理器のガス管の配管スペースとして用いることを特徴とする。
【００１３】
また、請求項７に記載の発明は、前記配管スペースを、厨房家具に組み込まれた食器洗浄乾燥機の給排水管の配管スペースとして用いることを特徴とする。
【発明の効果】
【００１４】
請求項１に記載の発明にあっては、キャビネット本体の背板部が厨房室内側に向いて配設される厨房家具用のキャビネットを、少なくとも両側板と、該両側板間に架設される中仕切り板と、この中仕切り板で画成された下側空間を開閉自在に閉塞する覆体と、を備えて構成すると共に、上記両側板及び中仕切り板の奥行寸法は、厨房家具のキャビネット上面に配置されたカウンタートップの奥行端部と厨房家具のキャビネット本体の背板との間の空間部寸法よりも小さく設定し、上記下側空間を配管スペースとして用いるように構成したので、キャビネット下方に設けた引き出しの奥行部に配管スペースを設ける必要がなくなり、その分、引き出しの奥行寸法を延長することができるので、引き出しの収納容量を大幅に増加させることができ、しかも、配管の連結作業やメンテナンス作業は、本キャビネット側から行なうことができるので、無理のない姿勢で容易に上記各作業を行なうことができる。
【００１５】
また、請求項２に記載の発明にあっては、前記覆体を、ヒンジにより開閉自在な扉で構成したので、普段は配管が隠蔽されてシステムキッチンのデザイン性を損なうことがなく、商品品質を向上させることができる。
【００１６】
さらに、請求項３に記載の発明にあっては、前記中仕切り板で画成された上部空間の高さ方向に沿って、棚板を着脱自在に支持可能に構成したので、仕舞い勝手が良好で、小物類等の整理整頓に至便である。
【００１７】
また、請求項４に記載の発明にあっては、前記中仕切り板で画成された上部空間を、該上部空間部を覆う扉体と該扉体の裏面側下部に形成された略凹状の収納部とで側面形状が略Ｌ字状に形成されたドアポケット体で開閉自在に構成したので、立った姿勢のままドアポケット体の開閉を行なうことができ、雑誌等の本類や長尺小物類等の出し入れを容易に行なうことができる。
【００１８】
さらに、請求項５に記載の発明にあっては、前記中仕切り板で画成された上部空間を、該上部空間部を覆う扉体と、該扉体の上部を回動自在に支持する手段によって開閉自在なフラップカウンター型で構成したので、普段は収納物を隠蔽でき、取り出し時には、上部空間部を大きく開放することができるので、収納や出し入れ、整理作業を容易に行なうことができる。
【００１９】
尚、この発明において、上記配管スペースは、請求項６に記載したように、流し台の給排水管や加熱調理器のガス管の配管スペースとして用い、或いは、請求項７に記載したように、厨房家具に組み込まれた食器洗浄乾燥機の給排水管の配管スペースとして用いることができる。
【発明を実施するための最良の形態】
【００２０】
以下、添付図面に示す発明の実施例に基づき、この発明を詳細に説明する。
【実施例１】
【００２１】
図１と図２は、対面型キッチンのぺニンシュラ型の２例を示しており、図１のキッチンは、壁面Ｗから直線状に延びるキャビネット本体１０と、該キャビネット本体１０の上面に固定されたカウンタートップ１１（図中点線で示す。）と、上記キャビネット本体１０の背板１２側に取り付けられた厨房家具用配管キャビネットである配管キャビネット２０と、から構成されており、図２に示すキッチンは、平面形状がＬ字状に形成されたキャビネット本体１０と、該キャビネット本体１０の上面に固定された平面形状がＬ字状に形成されてなるカウンタートップ１１（図中点線で示す。）と、上記キャビネット本体１０の室内側背板１２に取り付けられた厨房家具用配管キャビネットである配管キャビネット２０と、から構成されている。尚、図中符号１３はシンクを、符号１４は加熱調理機（図示せず）の設置部位を夫々示している。
【００２２】
図１乃至図５に示す実施例１において、上記カウンタートップ１１は、前端部１１Ａから奥行側端部１１Ｂまでの寸法Ｌ１が、キャビネット本体１０の前端部から背板１２までの定格幅寸法Ｌ２と、キャビネット本体１０の背板１２から前記配管キャビネット２０の自由端部までの幅寸法Ｌ３とを足した寸法よりも長く形成されている（Ｌ１≧Ｌ２＋Ｌ３）。尚、図２に示すカウンタートップ１１の壁面側寸法は上記定格幅寸法Ｌ２と同一寸法に形成されている。また、本実施例１においては、上記キャビネット本体１０のカウンタートップ１１と後記する引き出し１５及びその収納部１６以外の構成は、公知の各種構造からなる流し台キャビネットと同様に構成されているので、その詳細な説明をここでは省略する。
【００２３】
また、上記配管キャビネット２０は、前記Ｌ３寸法よりも短寸の幅寸法と床面から上記カウンタートップ１１の下面までの高さ寸法を有する両側板２１，２１と、該両側板２１，２１間に架設される中仕切り板２２と、この中仕切り板２２で画成された下側空間２３を開閉自在に閉塞する覆体である扉２４と、上記中仕切り板２２で画成された上部空間２５をドアポケット体２６と、背板３４と、で構成されており、上記下側空間２３を配管スペースとして用いるように構成されている。尚、上記扉２４は、公知の構成から成るヒンジ３３（図４参照）で開閉自在に支持されている。
【００２４】
上記ドアポケット体２６は、上部空間２５を覆う扉体２７と、該扉体２７の裏面側下部に形成された略凹状の収納部２８とで側面形状が略Ｌ字状に形成されており、立った姿勢のままでも該ドアポケット体２６の開閉を行なうことができるので、雑誌等の本類や長尺小物類等の出し入れを容易に行なうことができる。尚、図中符号２９は、上記ドアポケット体２６の開閉を支持するＶ字型リンクであり、また、該ドアポケット体２６は、図４に示すように、マグネット３０と吸着体３１とが吸着されて閉状態が保持されるように構成されている。
【００２５】
このように構成されてなる配管キャビネット２０は、天井部と底板部を設けない構成であるため、例えば、その背板がキャビネット本体１０の背板とビス止め固定され、また、カウンタートップ１１と配管キャビネット２０は、図示しない取付金具によって固定されることで、キャビネット本体１０と一体化される。尚、図中符号３２は、横桟である。勿論、この連結は、接着剤で行なうことも可能である。
【００２６】
それ故、実施例１に係る対面型キッチンにあっては、広く使い勝手に優れた大きなカウンタートップ１１の室内側下面部に、配管スペースとして使用可能な下側空間部２３を有する配管キャビネット２０を取り付けて構成したので、キャビネット本体１０の下方に設けた引き出し１５の奥行部に配管スペースを設ける必要がなくなり、その分、引き出し１５の奥行寸法を延長することができるので、引き出し１５の収納容量を大幅に増加させることができ、しかも、シンク１３の給排水管１７の連結作業やメンテナンス作業を、扉２４を開いて本配管キャビネット２０側から行なうことができるので、無理のない姿勢で容易に上記各作業を行なうことができる。
【００２７】
また、実施例１に係る配管キャビネット２０は、天井板と底板が不要な構成であるため、部品点数が少なく低コストで製造可能であり、さらに、上記背板３４を省略してキャビネット本体１０の背板１２で代用することもでき、この場合には部品点数がさらに削減されるので、より製造コストを低減できる。
【実施例２】
【００２８】
図６乃至図８は、この発明の実施例２に係る対面型キッチンを示しており、この実施例２では、前記上部空間２５を開閉する扉２６Ａ及び該扉２６Ａを開閉する支持部材２９Ａを実施例１のものと異ならしめて構成した他は、他の構成及び作用・効果は実施例１と同様であるので、図面には実施例１で用いた符号と同一の符号を付して、その詳細な説明をここでは省略する。
【００２９】
即ち、この実施例２では、上部空間２５を覆う扉２６Ａを平板状に形成すると共に、該扉２６Ａを上部を支点としてスライドアーム２９Ａによって回動自在なフラップカウンター型で構成したので、普段は収納物を隠蔽でき、取り出し時には、スライドアーム２９Ａが扉２６Ａを水平状態に保持して上部空間２５を大きく開放することができるので、収納や出し入れ、整理作業を容易に行なうことができる。
【実施例３】
【００３０】
図９乃至図１３は、この発明の実施例３に係る対面型キッチンを示しており、この実施例３では、実施例１及び実施例２で用いた扉２６，２６Ａ及びこの支持部材２９，２９Ａを廃止し、前記上部空間２５に棚板２６Ｂを着脱自在に架設するように構成した他は、他の構成及び作用・効果は実施例１と同様であるので、図面には実施例１で用いた符号と同一の符号を付して、その詳細な説明をここでは省略する。
【００３１】
即ち、この実施例３では、上部空間２５は、常態において開放されているため、物品の仕舞い勝手が良好で、小物類等の整理整頓を容易に行なうことができる。尚、上記棚板２６Ｂの架設段数は、複数であってもよく、また、その架設手段も、公知のダボ穴とダボを用いた手段で実施することができる。
【実施例４】
【００３２】
図１４と図１５は、この発明の実施例４に係る対面型キッチンを示しており、この実施例４では、キャビネット本体１０に食器洗浄乾燥機３５を組み込んだ場合の配管接続例を夫々しめしており、図１４は、キャビネット本体１０の上下段に引き出し１５，１５Ａを配設し、該引き出し１５，１５Ａ間に食器洗浄乾燥機３５を組み込んだ例を示しており、図１５は、引き出し１５の上部に食器洗浄乾燥機３５を組み込んだ例を示している他は、他の構成及び作用・効果は実施例３と同様であるので、図面には実施例３で用いた符号と同一の符号を付して、その詳細な説明をここでは省略する。
【００３３】
即ち、この実施例４では、食器洗浄乾燥機３５を組み込んだ場合であっても、該食器洗浄乾燥機３５の給排水管３７を配管キャビネット２０の下部空間２３内へと導いて配管接続することができるので、キャビネット本体１０の下方に設けた引き出し１５の奥行部に食器洗浄乾燥機３５の給排水管スペースを設ける必要がなくなり、その分、引き出し１５の奥行寸法を背板１２付近まで延長することができるので、引き出し１５の収納容量を大幅に増加させることができ、しかも、食器洗浄乾燥機３５の給排水管３７の連結作業やメンテナンス作業を、扉２４を開いて本配管キャビネット２０側から行なうことができるので、無理のない姿勢で容易に上記各作業を行なうことができる。
【００３４】
尚、上記各実施例は、本発明の好適な具体例であるから、技術的に好ましい種々の限定が付されているが、本発明は、上記説明において特に本発明を限定する旨の記載がない限り、これらの態様に限られるものではなく、例えば、コンロキャビネットやガス調理器キャビネットにも同様に適用することができる。
【図面の簡単な説明】
【００３５】
【図１】この発明に係る厨房家具用配管キャビネットの実施例１に係る対面型キッチンの構成を示す平面図である。
【図２】同実施例１に係る対面型キッチンの他の構成例を示す平面図である。
【図３】図１Ａ−Ａ線断面図である。
【図４】同実施例１に係る配管キャビネットの断面図である。
【図５】図１Ｂ−Ｂ線断面図である。
【図６】この発明に係る厨房家具用配管キャビネットの実施例２に係る対面型キッチンの図１Ａ−Ａ線相当断面図である。
【図７】同実施例２に係る配管キャビネットの断面図である。
【図８】同実施例２に係る対面型キッチンの図１Ｂ−Ｂ線相当断面図である。
【図９】この発明に係る厨房家具用配管キャビネットの実施例３に係る対面型キッチンの図１Ａ−Ａ線相当断面図である。
【図１０】同実施例３に係る配管キャビネットの断面図である。
【図１１】同実施例３に係る配管キャビネットの正面図である。
【図１２】同実施例３に係る配管キャビネットの平面図である。
【図１３】同実施例３に係る対面型キッチンの図１Ｂ−Ｂ線相当断面図である。
【図１４】この発明に係る厨房家具用配管キャビネットの実施例４に係る食器洗浄乾燥機が組み込まれた対面型キッチンの構成を示す断面図である。
【図１５】同実施例４に係る食器洗浄乾燥機が組み込まれた対面型キッチンの他の構成例を示す断面図である。
【図１６】従来のアイランド型キッチンの配置例を示す斜視図である。
【図１７】同アイランド型キッチンの側面図である。
【図１８】従来のペニンシュラ型キッチンの配置例を示す平面図である。
【図１９】同ペニンシュラ型キッチンのトールキャビネットタイプの側面図である。
【図２０】同ペニンシュラ型キッチンの間仕切りタイプの側面図である。
【図２１】従来の食器洗浄乾燥機が組み込まれた対面型キッチンの構成を示す断面図である。
【符号の説明】
【００３６】
Ｌ１  カウンタートップの前端部から奥行側端部までの寸法
Ｌ２  キャビネット本体の前端部から背板までの定格幅寸法
Ｌ３  キャビネット本体の背板から配管キャビネットの自由端部までの幅寸法
１０  キャビネット本体
１１  カウンタートップ
１１Ａ  前端部
１１Ｂ  奥行側端部
１２  背板
１３  シンク
１４  加熱調理機
１５  引き出し
１６  引き出し収納部
２０  配管キャビネット（厨房家具用配管キャビネット）
２１，２１  両側板
２２  中仕切り板
２３  下側空間
２４  扉（覆体）
２５  上部空間
２６  ドアポケット体
２６Ａ  扉
２６Ｂ  棚板
２７  扉体
２８  略凹状の収納部
３４  背板
【図１】
2005152082.tif 000003
【図２】
2005152082.tif 000004
【図３】
2005152082.tif 000005
【図４】
2005152082.tif 000006
【図５】
2005152082.tif 000007
【図６】
2005152082.tif 000008
【図７】
2005152082.tif 000009
【図８】
2005152082.tif 000010
【図９】
2005152082.tif 000011
【図１０】
2005152082.tif 000012
【図１１】
2005152082.tif 000013
【図１２】
2005152082.tif 000014
【図１３】
2005152082.tif 000015
【図１４】
2005152082.tif 000016
【図１５】
2005152082.tif 000017
【図１６】
2005152082.tif 000018
【図１７】
2005152082.tif 000019
【図１８】
2005152082.tif 000020
【図１９】
2005152082.tif 000021
【図２０】
2005152082.tif 000022
【図２１】
2005152082.tif 000023